Podtech/llm-jp-corpus-v4-ja_patent huggingface dataset:
(57)【要約】【課題】  水分や土砂の流動を制御する帯状遮断板において、表面に多数の突起物を有し、相隣接する遮断板との重ね合わせ部の隙間を容易に除くことができる遮断板の提供。【解決手段】  遮断板の側部に、長手方向に畝状突起部を設け、更に左右両端部に複層部を設ける。【選択図】図５
2017025689.tif 000002
【特許請求の範囲】
【請求項１】
土砂や水分の流動を制御するための合成樹脂帯状体であって、その表面に一定の高さを有する多数の突起を有することを特徴とする帯状遮断板。
【請求項２】
帯状遮断板表面の左右両側面に、ゴム又は合成樹脂発泡体又は繊維束で構成されている多数の突起と同等の高さの畝状体を有する請求項１に記載されている帯状遮断板。
【請求項３】
帯状遮断板の左右両側に、少なくとも２層以上の複層部分を有する請求項１に記載されている帯状遮断板、
【発明の詳細な説明】
【技術分野】
【０００１】  この発明は、合成樹脂板で構成されている、土砂や水分等の土中での流動を制御する帯状遮断板に関するものである。
【背景技術】
【０００２】  土砂や土中水分の流動を制御するために、合成樹脂板や金属板よりなる土留材、遮水材などと呼ばれている遮断板が使われている。これらの目的に使用される遮断板は、一枚の板状のものであったり、フィルターやスペーサ―機能を有する排水材のごとく一定の通水断面を保つものであったりする。これら遮断板は、運搬の利便性や敷設作業の容易さから、その形は一定巾の帯状に作られており、これを同心円に巻いて運搬、敷設作業に供している。従って敷設しようとする面積に比し遮断板の巾は狭く、複数枚の遮断板を平行に並べて所定の巾に仕上げている。
【発明の概要】
【発明が解決しようとする課題】
【０００３】  従来、遮断板をより広い面積に敷設する場合は、帯状遮断板を複数枚平行に隙間なく並べ、相隣接する帯状遮断板の側部を重ね合わせて使用することが多い。遮断板は構成する合成樹脂や金属自体の剛性があるため、その敷設下地の凹凸等が、重ね合わせた遮断板側部合せ目の不均等な加重となり、合せ目に隙間が生じ、制御すべき水分、土砂の流出を惹起してしまうことが課題であった。このため合せ目の隙間を防ぐために、相隣る遮断板の重ねしろを広く設けたり、合せ目同志を接着、溶着等で一体化したり、杭などで固定したり、遮断板を敷き並べる作業以外に多くの付随作業を要し、その余剰作業を削減することが課題であった。また、固定杭打設時に起こりがちな遮断板の損傷を補修することも作業効率を低下させ、削減策が課題であった。
本発明は、帯状遮断板の敷設時に発生する、相隣接する側部同志の接合処理に要する水分・土砂等の漏出防止や、惹起する破損部の修復などに要する手間を除き、快適な施工性を実現することのできる帯状遮断板を提供することが課題である。
【課題を解決するための手段】
【０００４】  帯状遮断板は、平坦な板状物より水分や土砂等を遮断板に沿って移動可能な空隙を設けるために、遮断板面に対して直角の方向に多数の突起物を設ける。〔図１〕。突起の高さが一定であれば平行な板の間のごとく空隙が形成される。遮断板の片側部若しくは両側部に、遮断板の長手方向に平行である側部に沿って、一定の厚さと巾を持った畝状の突起部を設ける。〔図２〕。この畝状突起部は、ゴム、合成樹脂発泡体、繊維集合束などで構成されている。畝状突起部は空隙量に応じて変形するので，合せ目の空隙を減少させる方向に作用する。畝状突起部は，遮断板の片側部又は両側部に設置することができる。畝状突起部は遮断板に比して、加重に対する変形量が大きなものが適している。ゴムや合成樹脂発泡体、繊維集合束等は好ましい材料である。また、閉じられた器や袋の中の粒状集合体、粘性のある液体等も考えられる。
畝状突起部の遮断板への取付けの方法は、接着、溶着、縫着等両者素材の性能によって適宜選択すべきものである。
帯状遮断板の左右両側部を合成樹脂複層構造にすることによって、杭などを打設する場合に対しての補強とすることができる。〔図３〕。帯状遮断板全体を等しく高強度構造にすると、多数の突起加工をする場合には極めて加工性が低下し、当然原材料コストも高度になる。帯状板の合せ目の対象になる両端部３ないし５ｃｍを多層構造として補強すれば、突起物加工の際の加工性も低下せず多層構造の部分だけ補強することができる。
【発明の効果】
【０００５】  帯状遮断板に畝状突起部を設けたものは、畝状突起部の圧縮変形が遮断板の変形より大きいため、帯状遮断板の変形量を吸収して変形し、帯状遮断板合せ目の隙間が畝状突起部の大きな変形で吸収され、結果として相隣接する二枚の帯状遮断板は隙間なく並設置される。しかもこの設置は単に相隣接する帯状遮断板を重ね合わせるだけで隙間を除去することができるので、設置手間や帯状遮断板の重ねしろを減少させることができ好都合である。
帯状遮断板の左右両端部５ｃｍを合成樹脂２層構造にしたものは、その上から杭を打設したところ、杭貫通用の穴は穿たれるが、その穴は杭の寸法から拡大することなく、またひび割れの伝播することもなく十分な補強効果と言える。
【図面の簡単な説明】
【０００６】
【図１】本発明の平面図である。
【図２】本発明の断面図である。
【図３】本発明の畝状突起部を備えた断面図である。
【図４】本発明の複層部分を備えた断面図である。
【図５】本発明の畝状突起部と複層部分を備えた断面図である。
【発明を実施するための形態】
【０００７】  以下、本発明を実施するための形態について説明する。
本発明による帯状遮断板は、合成樹脂の帯状長尺な板であり、板の表面に一定高さの多数の突起を有している。両側部の畝状突起部は、ゴム、合成樹脂発泡体、繊維束、などで、望ましくは厚さ５ミリ以上３０ミリ以下、巾１０ミリ以上５０ミリ以下程度で、断面がほぼ４辺形である帯状である。遮断板への畝状突起部の固定は、接着、溶着、縫着など材質や製造過程の状況に応じて選択することができる。
本発明による帯状遮断板の別の実施形態は、合成樹脂の帯状長尺な板であり、板の表面に一定高さの多数の突起を有している。左右両側部の望ましくは巾３０ミリ以上５０ミリは、帯状遮断板と同材質同厚みの２層構造になっており、事実上２倍の耐破壊強度を有している。２層の間は接着剤が介在しており穿孔などの衝撃に対してその破壊が伝播しにくい構造にすることができる。
本発明による帯状遮断板の別の実施形態は、合成樹脂の帯状長尺な板であり、板の表面に一定高さの多数の突起を有している。両側部には畝状突起部として、合成樹脂発泡体が縫着されており、左右両側部は望ましくは巾３０ミリ以上５０ミリは、帯状遮断板と同材質同厚みの２層構造になっている。当該実施形態例は，前記２実施形態例のそれぞれの長所を併せ持っている。
【符号の説明】
【０００８】  １．帯状遮断板
２．突起
３．畝状突起部
４．複層部
【図１】
2017025689.tif 000003
【図２】
2017025689.tif 000004
【図３】
2017025689.tif 000005
【図４】
2017025689.tif 000006
【図５】
2017025689.tif 000007
(57)【要約】【課題】  施行工数を削減することが可能な管体を提供する。【解決手段】  少なくとも３つの流体が出入り可能な開口部１Ａ〜１Ｃを有する管体１と、管体１を外側から覆う樹脂製の被覆材２とを備え、被覆材２は、成形用金型のキャビティ内に管体１が挿入された状態で成形されて当該管体１と一体化されている。これにより、施行工数を削減することが可能となる。【選択図】  図１
2017025967.tif 000002
【特許請求の範囲】
【請求項１】
少なくとも３つの流体が出入り可能な開口部を有する管体と、
前記管体を外側から覆う樹脂製の被覆材とを備え、
前記被覆材は、成形用金型のキャビティ内に前記管体が挿入された状態で成形されて当該管体と一体化されていることを特徴とする管体。
【発明の詳細な説明】
【技術分野】
【０００１】
本発明は、少なくとも３つの流体が出入り可能な開口部を有する管体に関する。
【背景技術】
【０００２】
例えば、特許文献１に記載の発明では、保温剤の被覆材を管体に巻き付けた後、当該被覆材の両端縁を熱融着にて接合している。
【先行技術文献】
【特許文献】
【０００３】
【特許文献１】特開２０００−３３７５８９号公報
【発明の概要】
【発明が解決しようとする課題】
【０００４】
しかし、特許文献１に記載の発明では、管体を取り付ける等の施行作業に多くの工数を必要とする。本発明は、上記点に鑑み、施行工数を削減することが可能な管体を提供することを目的とする。
【課題を解決するための手段】
【０００５】
本願では、少なくとも３つの流体が出入り可能な開口部（１Ａ〜１Ｃ）を有する管体（１）と、管体（１）を外側から覆う樹脂製の被覆材（２）とを備え、被覆材（２）は、成形用金型のキャビティ内に管体（１）が挿入された状態で成形されて当該管体（１）と一体化されている。これにより、施行工数を削減することが可能となる。
【０００６】
因みに、上記各手段等の括弧内の符号は、後述する実施形態に記載の具体的構成等との対応関係を示す一例であり、本発明は上記各手段等の括弧内の符号に示された具体的構成等に限定されるものではない。
【図面の簡単な説明】
【０００７】
【図１】Ａは本発明の実施形態に係る被覆一体管体の断面図である。Ｂは本発明の実施形態に係る被覆一体管体の外観である。Ｃは本発明の実施形態に係る管体１の外観図である。
【図２】本発明の実施形態に係る被覆一体管体の成形用金型を示す図である。
【図３】Ａ及びＢは本発明の変形例に係る被覆一体管体の断面図である。
【発明を実施するための形態】
【０００８】
以下に説明する「発明の実施形態」は実施形態の一例を示すものである。つまり、特許請求の範囲に記載された発明特定事項等は、下記の実施形態に示された具体的構成や構造等に限定されるものではない。
【０００９】
なお、少なくとも符号を付して説明した部材又は部位は、「複数」や「２つ以上」等の断りをした場合を除き、少なくとも１つ設けられている。以下、本発明の実施形態を図面と共に説明する。
【００１０】
（第１実施形態）
１．管体の構造
本実施形態は、図１Ａに示すように、チーズ継ぎ手を管体１に採用した例である。チーズ継ぎ手（管体１）は、図１Ｃに示すように、流体が出入り可能な３つの開口部１Ａ〜１Ｃを有する継ぎ手であって、全体形状がＴ字状又はＹ字状に構成された継ぎ手である。
【００１１】
図１Ｂに示すように、管体１の外側のうち少なくとも一部は被覆材２で覆われている。なお、本実施形態では、管体１のうち開口部１Ａ〜１Ｃの近傍は被覆材２で覆われていない。これは、管体１を他の管体（図示せず。）に容易に連結可能とするためである。
【００１２】
被覆材２は樹脂製である。本実施形態に係る被覆材２は、発泡ウレタン等の内部に多数の気泡を有する断熱性に優れた樹脂製である。被覆材２は、図２に示すように、成形用金型のキャビティ内に管体１が挿入された状態で成形されて当該管体１と一体化されている。
【００１３】
つまり、被覆材２は、インサート成形法により管体１と一体化された状態で成形される。図２では、溶融状態の樹脂が充填（注入）される充填項が開口部１Ａの近傍に１つ設けられているが、本実施形態に係る金型構造は、図２に示す構造に限定されるものではない。
【００１４】
２．本実施形態に係る管体の特徴
本実施形態では、被覆材２がインサート成形により管体１に一体化されているので、被覆材を管体１に巻き付ける作業を大幅に省くことが可能となる。延いては、配管施行時における施行工数を削減することが可能となる。
【００１５】
（その他の実施形態）
上述の実施形態では、１つのチーズ継ぎ手（管体１）に被覆材２を一体成形したが、本発明はこれに限定されるものではない。すなわち、例えば、図３Ａ及び図３Ｂに示すように、２つ以上のチーズ継ぎ手（管体１）を被覆材２で一体化（連結された）構成としてもよい。
【００１６】
なお、図３Ａ及び図３Ｂでは、各管体１は近接又は接触しているのみであって、隣り合う管体１それ自体は連結されていない。
上述の実施形態では、チーズ継ぎ手を管体１とした場合を例に本願発明を説明したが、本願発明はチーズ継ぎ手に限定されるものではなく、その形状の管体１にも適用可能である。
【００１７】
また、本発明は、特許請求の範囲に記載された発明の趣旨に合致するものであればよく、上述の実施形態に限定されるものではない。
【符号の説明】
【００１８】
１… 管体（チーズ継ぎ手）
１Ａ〜１Ｃ… 開口部１Ａ
２… 被覆材
【図１】
2017025967.tif 000003
【図２】
2017025967.tif 000004
【図３】
2017025967.tif 000005
(57)【要約】      （修正有）【課題】布・不燃布を使用し加工食品表面の雑菌が発生するのを抑え抗菌環境を作り出す方法の提供。【解決手段】貝殻の高温焼成高純度粉末を布・不燃布に適量付着させる方法。貝殻を高温下（１１００℃以上）で指定時間処理し、粉末化した、貝殻の高温焼成高純度粉末で水溶液に混濁した場合いのｐＨ１２以上のアルカリ反応と飽和量を有する性能の粉末を使用する方法。【選択図】なし【特許請求の範囲】
【請求項１】
貝殻の高温焼成高純度粉末（貝殻の高温焼成高純度粉末で水溶液に混濁した場合いのｐＨ１２以上のアルカリ反応と飽和量を有する性能の粉のこと）を布・不燃布に添付・混合して使用することでの抗菌環境下をつくり制御方法。
【請求項２】
貝殻の高温焼成高純度粉末（貝殻の高温焼成高純度粉末で水溶液に混濁した場合いのｐＨ１２以上のアルカリ反応と飽和量を有する性能の粉のこと）混濁水を布・不燃布を浸漬付加、乾燥させて使用することでの抗菌環境下をつくり制御方法。
【請求項３】
貝殻の高温焼成高純度粉末で水溶液に混濁した場合いのｐＨ１２以上のアルカリ反応と飽和量を有する。
【請求項３】
水溶液または粉体で使用するものである。
【請求項４】
無味無臭である。
【請求項５】
白色である。
【発明の詳細な説明】
【課題】
布・不燃布を使用して、食品表面のカビ、腐敗菌が発生するのことを、抗菌環境下をつくり抑制する。環境に対しても負荷が低く、従来の工程に対しても簡単に付加できる方法。
【解決手段】
貝殻の高温焼成高純度粉末を使用して、布・不燃布に付加混合・添付・浸漬することを特徴とする抗菌制御方法。この時の要件として、貝殻の高温焼成高純度粉末で、水溶液に混濁した場合いのｐＨ１２以上のアルカリ反応と飽和量の到達が必要となる。
【発明の詳細な説明】
【技術分野】
【００１】布・不燃布。
【背景技術】
【００２】従来の生鮮・加工食品加工をするうえで、アルコール等の抗菌制御技術で鮮度を保持し、賞味期間のわずかな遅延を図っている。【００３】生鮮・加工食品における雑菌の繁殖を抑制する方法は、（１）生鮮・加工食品自体に防腐剤を含有させる方法、包装材で加工するときに防腐剤を同封する方法、包装材を抗菌加工する方法等の科学的処理方法（２）食品製造過程での無菌環境下で行い、包装加工処理する物理的方法。【００４】現在、化学的手法により抗菌制御を行っている。環境ホルモン汚染、アレルギー等の原因と疑われる化学合成物質を使用しての保存方法からの回避をする傾向が進み使用しない方法が望まれている。また、物理的方法は処理、技術が複雑、特別な仕組み器具機器が必要で費用が高額になる。
【発明が解決しようとする課題】
【００５】本発明は布・不燃布など抗菌制御を従来の手順に対して付加することで、環境に優しく安全で簡単にできる手段を使用して解決した抗菌制御方法を提供することを目的とする。
【課題が解決するための手段】
【００６】この本発明は、貝殻の高温焼成高純度粉末を使用して布・不燃布の従来手順に対して簡単に付加することが特徴とする。布・不燃布の抗菌制御方法に適用される布・不燃布に関する。
【発明を実施するための形態】
【００７】本発明は、貝殻の高温焼成高純度粉末を使用することで抗菌制御することである。
【００８】貝殻は粉砕、微粉砕しただけでは、抗菌活性は認められないが、高温下（１，１００℃以上）で指定時間焼成処理をすることで抗菌性が発現する。焼成後の粉に対して粉砕を施した微粉末を使用するのが好ましい。
【００９】従来の製造工程に大きな影響を及ばすことなく、また、安価に提供でき雑菌発生の遅延を実現したその方法を確立して提供できる。
(57)【要約】【課題】車イス使用者が外出により気分転換を計る時、着衣にも明るい気分を添える必要がある。外出先の制約された場所及び時間の中で、下着の汚れに素早く清潔に対処する事のできる必要がある。その両方を満たす開閉のできるズボンを提供する。【手段】脇線によって分けられた後身頃ウエスト部にゴムを入れ広くした後身頃と、狭く平らかに整えた前身頃の間に大きく開く開口部を作り着脱する。【選択図】図１
2017025461.tif 000002
【特許請求の範囲】
【請求項１】
ズボンの後身頃と前身頃をへだてる脇線▲１▼の位置を変え大きく開く開口部▲９▼を持つ介護用ズボン
【発明の詳細な説明】
【技術分野】
【０００１】本発明は身体に障害があるため、一人では着脱のできない者が外出した際に、介助にあたる者が容易に介護できるズボンに関するものである。
【背景技術】
【０００２】従来、介助される側の着用するズボンは、寝ている時に使用する両脇や股下を全開できるものがあった。
【発明の概要】
【発明が解決しようとする課題】
【０００３】従来の障害者用ズボンには、次のような不都合があった。
▲イ▼車イスを使用して、外出した際のオムツや尿とりパッドの着脱に手間どる事が、介護者の負担になっていた。
▲ロ▼その多くが外出用には開発されておらず、パジャマ用途としての物であり、外出での気分転換の一部を担うデザイン性に欠けていた。
本発明は以上の問題点を解決するために発明されたものである。
【課題を解決するための手段】
【０００４】ズボン製作の脇線▲１▼の上部を前身頃前中心▲２▼近くに寄せる。その線上に空き部▲３▼を設け空き部▲３▼にはファスナー▲４▼を取り付ける。明き止り▲８▼は体の大きさにより位置を変えるが脇線上、裾線から１０ｃｍ以内の数値とする。
前身頃のウエスト位置▲５▼は平面に仕立て、後身頃ウエスト位置▲６▼には、ゴムひも▲７▼を入れる。
以上の構成により高齢者・障害者使用可能ズボンになる。
【発明の効果】
【０００５】本発明を使用する事により外出する時、使用者本人の気分一新するものとなり、精神的な効果があり、また介護する者にとって扱いやすい利点がある。
【図面の簡単な説明】
【０００６】
【図１】本発明のズボンの斜視図
【図２】本発明のズボンの装着時正面図
【発明を実施するための形態】
【０００７】以下本発明の実施の形態を説明する。
脇線▲１▼の上部を前身頃前中心▲２▼の近くに寄せ、この線上に空き部▲３▼を設ける。
空き部▲３▼にはファスナー▲４▼を付ける。空き止り▲８▼は体の大きさにより位置を変える。
脇線により分けられた後身頃ウエスト部▲６▼にはゴムひも▲７▼を入れる。前身頃中心部分▲２▼は平らかに仕上げ、開き口▲９▼にスナップを取り付ける。
本発明は以上の構成よりなる。
本発明を外出先で使用する場合、開き口▲９▼のスナップをはずしファスナーを下げ大きく開き、おむつや尿とりパッドの交換をする事ができる。
【符号の説明】
【０００８】  １．  脇線
２．  前身頃前中心
３．  脇線開き部
４．  ファスナー
５．  前身頃ウエスト部
６．  後身頃ウエスト部
７．  ゴムひも
８．  開き止り
９．  開き口
１０．  裾線
【図１】
2017025461.tif 000003
【図２】
2017025461.tif 000004
(57)【要約】      （修正有）【課題】扇風機、特にエアコンの消費電力を下げ心地よくリラックスできる操作性を備え、記憶媒体には、川の音や森の音、小鳥のさえずり等の心地の良い音源を記憶させておく。【解決手段】音響設備、ＵＳＢ設備、ブルートゥース等ＰＣとの連結設備、及び記憶媒体を備えた扇風機、エアコンを提供し記憶媒体には川の音、森の音、小鳥のさえずり等心地の良い音源を記憶させておく。リラックスして体感温度が下げることにより、扇風機、エアコンの消費電力を下げ、省エネに貢献し、睡眠や休憩時により身体の機能回復に貢献する。扇風機、エアコンをＰＣ、スマートフォンより操作可能になる。【選択図】なし【特許請求の範囲】
【請求項１】
音響設備のある扇風機、エアコン。
【請求項２】
ＵＳＢ設備、ブルートゥース等ＰＣ、スマートフォンとの連結設備のある扇風機、エアコン。
【請求項３】
記憶媒体のある扇風機、エアコン。
【請求項４】
川の音、森の音、小鳥のさえずり等心地の良い音源を記憶媒体に記憶させてある扇風機、エアコン。
【請求項５】
ＵＳＢ設備、ブルートゥース等ＰＣ、スマートフォンとの連結設備により操作可能な扇風機、エアコン。
【発明の詳細な説明】
【技術分野】家電、空調機器、クーラー、ＰＣ、スマートフォン
【背景技術】扇風機、エアコンディショナー、クーラー、ＰＣ、スマートフォン
【発明の概要】
音響設備、ＵＳＢ設備、ブルートゥース等ＰＣ、スマートフォンとの連結設備、及び記憶媒体を内蔵しＰＣ、スマートフォンより操作可能な扇風機、エアコンの提供。
【発明が解決しようとする課題】扇風機、エアコンディショナー（以下エアコン）をより快適、便利に活用する。
川の音を聞くと体感温度が下がるという。川の音や森の音、小鳥のさえずり等心地の良い音を聞きリラックスして体感温度が下げることにより、扇風機、エアコンの消費電力を下げ、省エネに貢献し、睡眠や休憩時により身体の機能回復に貢献する。
扇風機、エアコンをＰＣ、スマートフォンより操作可能にする。
【課題を解決するための手段】扇風機、エアコンに音響設備、ＵＳＢ設備、ブルートゥース等ＰＣとの連結設備、及び記憶媒体をそなえる。
記憶媒体には川の音、森の音、小鳥のさえずり等心地の良い音源を記憶させておく。
【発明の効果】本件発明により、扇風機、エアコン使用時に心地の良い音を聞きリラックスできる。
ＰＣとつなぐことのよりＰＣより音源等をとり音楽を聴くことができる。
扇風機、エアコンをＰＣ、スマートフォンより操作可能になる。
【図面の簡単な説明】扇風機、エアコンがある。
扇風機、エアコンに音響設備、ＵＳＢ設備、ブルートゥース等ＰＣとの連結設備、及び記憶媒体が設備されている。
【図１】
2017025897.tif 000002
【発明を実施するための形態】
【実施例】扇風機、エアコンに音響設備、ＵＳＢ設備、ブルートゥース等ＰＣとの連結設備、及び記憶媒体を内蔵する。
【産業上の利用可能性】音響設備、ＵＳＢ設備、ブルートゥース等ＰＣとの連結設備、及び記憶媒体を内蔵する扇風機、エアコンの提供。
2017025897.tif 000003
【手続補正書】
【提出日】平成27年10月15日(2015.10.15)
【手続補正１】
【補正対象書類名】明細書
【補正対象項目名】全文
【補正方法】変更
【補正の内容】
【発明の詳細な説明】
【技術分野】家電、空調機器、クーラー、ＰＣ、スマートフォン
【背景技術】扇風機、エアコンディショナー、クーラー、ＰＣ、スマートフォン
【発明の概要】
音響設備、ＵＳＢ設備、ブルートゥース等ＰＣ、スマートフォンとの連結設備、及び記憶媒体を内蔵しＰＣ、スマートフォンより操作可能な扇風機、エアコンの提供。
【発明が解決しようとする課題】
扇風機、エアコンディショナー（以下エアコン）をより快適、便利に活用する。川の音を聞くと体感温度が下がるという。川の音や森の音、小鳥のさえずり等心地の良い音を聞きリラックスして体感温度が下げることにより、扇風機、エアコンの消費電力を下げ、省エネに貢献し、睡眠や休憩時により身体の機能回復に貢献する。扇風機、エアコンをＰＣ、スマートフォンより操作可能にする。
【課題を解決するための手段】
扇風機、エアコンに音響設備、ＵＳＢ設備、ブルートゥース等ＰＣとの連結設備、及び記憶媒体をそなえる。記憶媒体には川の音、森の音、小鳥のさえずり等心地の良い音源を記憶させておく。
【発明の効果】
本件発明により、扇風機、エアコン使用時に心地の良い音を聞きリラックスできる。ＰＣとつなぐことのよりＰＣより音源等をとり音楽を聴くことができる。扇風機、エアコンをＰＣ、スマートフォンより操作可能になる。
【図面の簡単な説明】
【図１】扇風機、エアコンがある。扇風機、エアコンに音響設備、ＵＳＢ設備、ブルートゥース等ＰＣとの連結設備、及び記憶媒体が設備されている。
【発明を実施するための形態】
【実施例】扇風機、エアコンに音響設備、ＵＳＢ設備、ブルートゥース等ＰＣとの連結設備、及び記憶媒体を内蔵する。
【産業上の利用可能性】  音響設備、ＵＳＢ設備、ブルートゥース等ＰＣとの連結設備、及び記憶媒体を内蔵する扇風機、エアコンの提供。
【手続補正２】
【補正対象書類名】図面
【補正対象項目名】全図
【補正方法】追加
【補正の内容】
【図１】
2017025897.tif 000004
(57)【要約】      （修正有）【課題】難疾病を完治する方法の提供。【解決手段】疑固筋肉痛、神経痛、リューマチ、関節痛、頭痛、又は、オタフク風に対して、蓬葉汁を服用する。【選択図】なし【特許請求の範囲】
蓬葉汁を服用し疾病を完治する疾病名
疑固筋肉痛．神経痛  リューマチ  関節痛  頭痛．オタフク風．
【発明の詳細な説明】
【背景技術】現今の医術では解明完治せぬ疾病があった
【発明の概要】
【発明が解決しようとする課題】
【課題を解決するための手段】蓬葉汁を服用する
【発明の効果】苦痛難渋の疾病が完治する
【産業上の利用可能性】医業薬業に貢献利用可能である．
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
蓬葉汁を服用し疾病を完治する疾病名
疑固筋肉痛．神経痛  リューマチ  関節痛  頭痛．オタフク風．
(57)【要約】【課題】本願発明は、より簡易な加工で、厚手の鋼板ダンパの製作を可能とすることを課題とするものである。【解決手段】鋼板を複数枚重ね結合させ、鋼板ダンパを形成した。 【選択図】図１
2017026116.tif 000002
【特許請求の範囲】
【請求項１】
鋼板を複数枚重ね結合させた鋼板ダンパ。
【請求項２】
前記鋼板をプレートで挟み、ボルトとナットで締め付けることにより結合させた請求項１記載の鋼板ダンパ。
【請求項３】
前記鋼板をバンドで締め付けることにより結合させた請求項１記載の鋼板ダンパ。
【発明の詳細な説明】
【技術分野】
【０００１】
本発明は、例えば、建築物等の構造物に取り付けられ、地震等の外力による構造物の揺れを低減させる鋼板ダンパに関するものである。
【背景技術】
【０００２】
地震等の外力による構造物の揺れを低減させるために、鋼板ダンパ７０は用いられる。鋼板ダンパは、図４のようなものであり、柱部７４を塑性変形させエネルギーを吸収することにより、建築物等の構造物の揺れに対する抵抗力（減衰力）を発生させ、建築物などの構造物の揺れを吸収して耐震性、居住性を向上させるものである。
【先行技術文献】
【特許文献】
【０００３】
【特許文献１】特開平５−２６２７４号公報
【発明の概要】
【発明が解決しようとする課題】
【０００４】
しかしながら、従来の鋼材ダンパは、一枚の鋼板で形成されていたため、鋼板ダンパを厚く形成する場合、レーザー加工ですますことは難しく、機械加工が必要となり、加工の手間がかかっていた。
【０００５】
本発明は、より簡易な加工で、厚手の鋼板ダンパの製作を可能とするものである。
【課題を解決するための手段】
【０００６】
上記課題を解決するために、本発明は、鋼板を複数枚重ね結合させたことを特徴とするものである。      
【０００７】
また、本発明は、プレートで挟み、ボルトとナットで締め付けることにより結合させたことを特徴とするものである。
【０００８】
また、本発明は、バンドで締め付けることにより結合させたことを特徴とするものである。
【発明の効果】
【０００９】
このような本発明によれば、鋼板を複数枚重ね結合させることにより、より簡易な加工で、厚手の鋼板ダンパの製作を可能とするものである。
【図面の簡単な説明】
【００１０】
【図１】本発明の第一の実施の形態に係る鋼板ダンパであり、（ａ）が正面図、（ｂ）が側面図である。
【図２】本発明の第二の実施の形態に係る鋼板ダンパであり、（ａ）が正面図、（ｂ）が側面図である。
【図３】本発明の第一，第二の実施の形態に係る鋼板ダンパに用いられる鋼板であり、（ａ）が正面図、（ｂ）が側面図である。
【図４】従来の鋼板ダンパであり、（ａ）が正面図、（ｂ）が側面図である。
【発明を実施するための最良の形態】
【００１１】
以下、本発明の実施の形態について説明する。図１は、本発明の第一の実施の形態に係る鋼板ダンパであり、図２は、本発明の第二の実施の形態に係る鋼板ダンパであり、図３は、第一，第二の実施の形態に係る鋼板ダンパに用いられる鋼板である。
【００１２】
図３に示すように、鋼板６０には上下に構造体取付部６２が設けられ、構造体取付部６２の間に柱部７４が設けられる。構造体取付部６２には、ボルト孔６６が設けられる。当該ボルト孔６６は構造体に取り付ける際にボルトを挿通するための孔である。
【００１３】
本発明の第一の実施の形態に係る鋼板ダンパ２は、図１に示すように、図３の鋼板６２を複数枚重ね、プレート２０で鋼板６０の柱部６４を挟み、ボルト２２とナット２４で締め付けることにより結合される。
【００１４】
このようにすることにより、薄手の鋼板（例えば厚さ４ｍｍ）をレーザー加工で成形し、重ね合わせて結合することにより、機械加工を必要とせずに厚手の鋼板ダンパ（例えば厚さ２４ｍｍ）を製作することができる。
【００１５】
本発明の第二の実施の形態に係る鋼板ダンパ４０は、図２に示すように、図３の鋼板６０を複数枚重ね、バンド５８で鋼板６０の柱部６４を締めて結合される。
【００１６】
このようにすることにより、薄手の鋼板をレーザー加工で成形し、重ね合わせて結合することにより、機械加工を必要とせずに厚手の鋼板ダンパを製作することができる。
【００１７】
また、プレート又はバンドにより、鋼板ダンパの面外方向への変形を抑制することができる。
【符号の説明】
【００１８】
２  鋼板ダンパ
１０  鋼板
１２  構造体取付部
１４  柱部
１６  ボルト孔
２０  プレート
２２  ボルト
２４  ナット
４０  鋼板ダンパ
５０  鋼板
５２  構造体取付部  
５４  柱部
５６  ボルト孔
５８  バンド
６０  鋼板
６２  構造体取付部
６４  柱部
６６  ボルト孔
７０  鋼板ダンパ
７２  構造体取付部
７４  柱部
７６  ボルト孔
【図１】
2017026116.tif 000003
【図２】
2017026116.tif 000004
【図３】
2017026116.tif 000005
【図４】
2017026116.tif 000006
(57)【要約】      （修正有）【課題】ゴミ袋口の装着はゴミ箱の縁を折り返しゴミ袋を装着した物であるが、ゴミ袋の折り返し部がゴミ箱から外側にはみ出し見苦しかった。【解決手段】ゴミ箱の内側に回転又は変形するゴミ袋の装着アーム１，２を設け、ゴミ袋折り返し部と取り付け部又は回転軸部３との間に隔離段差を設ける事によりゴミ箱内部にゴミ袋のシワ寄せ部が形成され、ゴミ袋のシワを吸収、収納させる事によってゴミ箱の内側にゴミ袋の装着をより美しく容易にする。【選択図】図１
2017043490.tif 000002
【特許請求の範囲】
【請求項１】
ゴミ箱口の内側付近にゴミ袋のしわ寄せ収納部を形成させた構造のゴミ袋口の装着アームであってゴミ箱と共に組み合わされる、アームに回転部を設ける、あるいは形状復元可能な材質のアームを組み合わせたゴミ袋口の装着アーム、
【請求項２】
請求項１記載のゴミ袋口の装着アームをゴミ箱口の部分と共に組み合わせて既成のゴミ箱に装着可能としたゴミ袋口の装着アーム、
【発明の詳細な説明】
【技術分野】
【０００１】本考案はゴミ箱用ゴミ袋口の装着具である、
【背景技術】
【０００２】ゴミ箱の投入口にゴミ袋を装着するにあたりゴミ箱の縁に引っ掛けて縁押さえ器具によるゴミ袋の開口部保持が一般的であつた、
【先行技術文献】
【０００３】特開  ２０１３−１３３２２５  ゴミ箱
【発明の概要】
【発明が解決しようとする課題】
【０００４】ゴミ袋はゴミ容器の開口部の縁から外部側に折り返しゴミ袋を装着した物であるがはゴミ袋の折り返し部がゴミ箱から外側にはみ出し見苦しかった、又その対策装置によりゴミ箱の蓋の使用が困難となった、
【課題を解決するための手段】
【０００５】ゴミ容器の内側に回転又は変形するゴミ袋の装着アームを設け、ゴミ袋折り返し部と取り付け部又は回転軸部との間に隔離段差を設ける事によりゴミ箱内部にゴミ袋のシワ寄せ部が形成されゴミ袋のシワを吸収、収納させる事によりゴミ袋の装着をより美しく容易にさせた、
【発明の効果】
【０００６】本考案はゴミ袋装着アームのゴミ袋折り返し部とゴミ箱取り付け部又は同、回転軸部の間にシワ寄せ部を形成しゴミ袋のシワを収納させる事によりゴミ箱の内側の装着を容易にして納まりも良く、見た目もスッキリさせてゴミ箱の蓋の収まりも改善された、
【図面の簡単な説明】
【０００７】
【図１】本発明を示す形態は主に形態１、形態２、形態３、からなり左縦列図は其々平面透視図、右縦列図はそれぞれ左図の立面透視図である、これらはいずれもシワ寄せ部を形成させたアーム構造であることを特徴とする、形態１図はゴミ箱とゴミ袋口の装着アームとゴミ袋の其々の相関関係を示す、
【発明を実施するための形態】
【０００８】    形態１、形態２，形態３から成り形態１はゴミ箱の投入口付近に組み合わされた左右対称の回転可能アームでゴミ袋のしわ寄せを形成する２本の跳ね上げのアーム１，２から成る、ゴミ袋取り出し口Ａからゴミ袋を取り出しアームの外枠より折り返し左右のアームのしわ寄せ部と共に構成する３の回転部付近に其々引っ掛けゴミ箱内側とアームのしわ寄せ部の隙間に入る、一方のごみ袋の折り返し部はアームの引き下げによりゴミ袋がセットされる、形態２はリング状のアームでリングの一方にリング状のアーム回転部を設け、回転部にしわ寄せ部を設ける、これをゴミ箱と組み合わせて、ゴミ袋を形態１の様にセットする、形態３はゴミ箱の投入口付近に組み合わされた形状復元可能な材質例えば発条、ゴム類、合成樹脂等やこれらを組み合わせたリング状のアームを内側半径中央部分にしわ寄せ部を設けてゴミ箱と共に組み合わせる、形態１同様にゴミ袋をセットする、形態１，２，３図の円筒形と共に角筒形ゴミ箱にも共通となる、
【符号の説明】１はゴミ箱用ゴミ袋口の装着アーム、２は１と同様のアームと一対となっているアームである、３はアームの回転軸でゴミ箱と組み合わされた部分で、これはゴミ袋のしわ寄せ部のアームと共に構成する、Ａはアームの中央部よりゴミ袋を引き出し、アーム縁を外回りさせ折り返す所、Ｂはゴミ袋の折り返した部分をアームとゴミ箱の狭間部でゴミ袋を挟む様にする所、
【図１】
2017043490.tif 000003
(57)【要約】【課題】浴槽、トイレ、フロアー、玄関等所要の場所に張設されたタイル面に対して、その表面に清掃等の残留水が溜まらないようにした「タイル面に対する乾水化構造」に関する。【解決手段】各タイルを、透水性を具えた目地材を介して隣接させると共に、当該タイルの土台等に対する張設を、その下面側に、合成樹脂線材により線条相互融着させて形成した透水材で製した立体網状構造体であってその内部に複数の筒状空洞部４ａを形成するように構成した空間形成材を介在させて行うようにしたことを特徴とするタイル面に対する乾水化構造。【選択図】  図１
2017043899.tif 000002
【特許請求の範囲】
【請求項１】
各タイルを、透水性を具えた目地材を介して隣接させると共に、当該タイルの土台等に対する張設を、その下面側に、合成樹脂線材により線条相互融着させて形成した透水材で製した立体網状構造体であってその内部に複数の筒状空洞部４ａを形成するように構成した空間形成材を介在させて行うようにしたことを特徴とするタイル面に対する乾水化構造。
【発明の詳細な説明】
【技術分野】
【０００１】
本発明は、浴槽、トイレ、フロアー、玄関等所要の場所に張設されたタイル面に対して、その表面に清掃等の残留水が溜まらないようにした「タイル面に対する乾水化構造」に関する。
【背景技術】
【０００２】
浴槽、トイレ、フロアー、玄関等、所要の場所に対するタイル面の張設は、土台面に対してモルタル等を用いてタイルを直接張り着するようにすることを常套手段とした。そして、タイル表面に流れる清掃水等は、一隅に設けた排水口から下水等に排出するものである。
【発明の概要】
【発明が解決しようとする課題】
【０００３】
上記した従来のタイル張りであると、タイル表面に流れる洗浄水等は、部屋の隅等、所要箇所に設けた排水溝まで、タイル表面を流れてゆくことによりその排除が成されるものである。従って、タイル表面は排水の流れに基づきなかなか乾水化できず、濡れた状態が長時間続くことを余儀なくされた。
【０００４】
本発明はこのような問題を解決し、タイル表面の水分を速やかに吸収させて乾水化の促進が図られるようにすることにより、従来の問題を可決した新規の「タイル面に対する乾水化構造」の提供を図ったものである。
【課題を解決するための手段】
【０００５】
本発明は請求項１に記載のように、各タイルを、透水性を具えた目地材を介して隣接させると共に、当該タイルの土台等に対する張設を、その下面側に、合成樹脂線材により線条相互融着させて形成した透水材で製した立体網状構造体であってその内部に複数の筒状空洞部４ａを形成するように構成した空間形成材を介在させて行うようにしたことを特徴とするタイル面に対する乾水化構造に係る。
【発明の効果】
【０００６】
本発明は請求項１に記載のような構成の採用に基づき、すなわち、タイルの土台等に対する張設を、その下面側に、合成樹脂線材により線条相互融着させて形成した透水材で製した立体網状構造体であってその内部に複数の筒状空洞部４ａを形成するように構成した空間形成材を介在させるように構成したから、タイル下面には一時貯水並びに流水用空間が形成されることと成る。従って、タイル表面の清掃水等は、その表面から流れ落ちると共に、透水性目地材を透して、上記空間形成材内に速やかに導かれることとなる。そして、所要の排水口から排出される訳であるが、これによる排水が間に合わなかったとしても、空間形成材内での一時的な貯水効果が奏され、タイル表面に溢れ出すことが無い。
【０００７】
更に、上記した空間形成材は、内部に複数の筒状空洞部４ａを形成するように構成したものであるから、上面からの圧縮力に対して強い耐性を奏し、タイル張設面に対する良好なる支持目的が達成される。
【図面の簡単な説明】
【０００８】
【図１】本発明の要部を表した縦断面図である。
【図２】本発明の平面図である。
【図３】本発明に用いる空間形成材の斜視図である。
【図４】図３におけるＸ−Ｘ線断面図である。
【発明を実施するための形態】
【０００９】
図において、1はタイル、２は各タイルを所定の間隔で隣接させるための目地材であって、当該目地材は連続気泡の合成樹脂材、スポンジ材のように通水性を具えた材料で形成してある。
【００１０】
３は基礎コンクレート等の土台面であって、上記したタイル１は当該土台面３に対して、所定の空間形成材４を介在させた状態で張設してある。
【００１１】
そして、当該空間形成材４であるが、これは、ポリプロピレンのような合成樹脂線材により線条相互融着させて形成した透水材で製した立体網状構造体であって、その内部には複数の筒状空洞部４ａを形成するように構成してある。そして、当該筒状空洞部４ａの存在は、圧縮方向に顕著な抵抗性を発揮し、タイル面の土台材として潰れることなくタイルの平坦的張設に十分耐え得る程度の強度を有している。
【００１２】
上記構成に基づき、タイル上に流された洗浄水等は、目地材２を透して空間形成材４内に導かれる。従って、タイル表面に水分残存を無くすることが出来る。そして、空間形成材４で形成される導水空間を、下水道等に連結することにより、速やかなる排水が図られる。
【００１３】
５は土台面３と空間形成材４の間に介在させた防水用保護シートであって、当該空間形成に材導かれたタイル上の水が、土台面３内に漏洩的に吸収されてしまうことを防止するためのものであり、これは絶対的要件とするものではない。
【００１４】
また、前記した空間形成材４は図１に示すように、筒状空洞部４ａが横並び状に形成したもの一枚を用いるように構成してあるが、これは複数枚を重ねることにより、含水能力を増加させた形態で実施する場合もある。この時、各空間形成材４はその、筒状空洞部４ａを上下位のものが直交するような形態で重ねるようにすることが、強度的に好ましい。
【符号の説明】
【００１５】
１  タイル
２  目地材
３  土台面
４  空間形成材
４ａ筒状空洞部
５  防水用保護シート
【図１】
2017043899.tif 000003
【図２】
2017043899.tif 000004
【図３】
2017043899.tif 000005
【図４】
2017043899.tif 000006
(57)【要約】【課題】使用者の顔の正面が雨に濡れることを防ぎ、且つ、使用者が前方を良好に視認すること可能とした雨具を提供する。【解決手段】雨具は、帽子、および、その帽子に取り付けられたネットを備える。ネットは、撥水加工が施されたものである。ネット３に撥水加工を施すことにより、水をはじくので、ネット３の網目に水の膜ができることが抑制される。また、撥水加工により、ネット３から水滴が良好に流れ落ちる。そのため、使用者の顔が雨に濡れることが抑制され、また、使用者の視界が良好に保たれる【選択図】図１
2017043855.tif 000002
【特許請求の範囲】
【請求項１】
帽子と、
撥水加工が施され、帽子に取り付けられたネットと、
を備えた雨具。
【発明の詳細な説明】
【技術分野】
【０００１】
本発明は雨具に関する。
【背景技術】
【０００２】
特許文献１には、帽子の側方から後方に亘り透明のビニールシートを取り付けた雨具が記載されている。この雨具は、帽子を被る使用者の顔の側面と後頭部をビニールシートで覆うものである。
【先行技術文献】
【特許文献】
【０００３】
【特許文献１】特開２００５−１５９８４号公報
【発明の開示】
【発明が解決しようとする課題】
【０００４】
しかしながら、特許文献１に記載の雨具は、使用者の顔の正面をビニールシートで覆っていない。そのため、使用者の顔の正面に雨がかかるという問題がある。仮に使用者の顔の正面をビニールシートで覆う構成にすれば、雨がビニールシートにかかる、または、蒸気によりビニールシートが曇るなどにより、使用者が前方を視認することが困難になる。
本発明は、使用者の顔が雨に濡れることを防ぎ、且つ、使用者が前方を良好に視認すること可能とした雨具を提供することを目的とする。
【課題を解決するための手段】
【０００５】
本発明の雨具は、帽子、および、その帽子に取り付けられたネットを備える。ネットは、撥水加工が施されたものである。
【図面の簡単な説明】
【０００６】
【図１】本発明の一実施形態の雨具を前方から見た斜視図である。
【図２】本発明の一実施形態の雨具を後方から見た斜視図である。
【図３】本発明の他の実施形態の雨具を正面から見た図である。
【発明を実施するための形態】
【０００７】
以下、本発明の実施形態を図面に基づいて説明する。
（一実施形態）
本発明の一実施形態を図１および図２に示す。雨具１は、帽子２、および、その帽子２に取り付けられたネット３を備える。ネット３は、撥水加工が施されたものである。
帽子２は、水を通さない樹脂製のものであるか、または、撥水加工が施された布製のものが好ましい。また、帽子２につば４を備えることにより、ネット３と顔との間に空間が形成される。
【０００８】
ネット３は、使用者の視界を良好にするため、黒色のものを用いることが好ましい。ネット３はつば４に取り付けるか、または、つば４より上側の帽子２の部分に取り付けてもよい。ネット３は、筒状として、使用者の頭部の全周を覆うようにしても良い。また、図２に示すように、ネット３は、使用者の後頭部側で切れ目５を入れてもよい。
ネット３に撥水加工を施すことにより、水をはじくので、ネット３の網目に水の膜ができることが抑制される。また、撥水加工により、ネット３から水滴が良好に流れ落ちる。そのため、使用者の顔が雨に濡れることが抑制され、また、使用者の視界が良好に保たれる。
【０００９】
（他の実施形態）
他の実施形態として、帽子はキャップ形状のものであってもよい。また、図３に示すように、他の実施形態として、レインコートの帽子部分（フード）２にネット３を取り付けてもよい。
【符号の説明】
【００１０】
１・・・雨具
２・・・帽子
３・・・ネット
４・・・つば
５・・・切れ目
【図１】
2017043855.tif 000003
【図２】
2017043855.tif 000004
【図３】
2017043855.tif 000005
(57)【要約】      （修正有）【課題】長時間の運転をしていると緊張で口がかわき、眠気におそわれます。だからドライバーは飲みものを少しづつ口にふくんだり物を食べたりします。真夏に冷めたいものは最高ですが、なまぬるいものはだめです。目がさめません。真冬も同じです。なのでこの冷暖風があれば最高だと思います。無事故です。大勢の人が、飲みものラックを送風口に付けて、飲みものを冷暖しています。そうすると送風口から冷暖風がさえぎられて、風が来なくなります。【解決手段】車の飲みもの入れに小さな穴をあけて送風本ダクト１より分岐した細い分岐ダクト２を飲みもの入れの穴３へ引き込みます。冷風、暖風は必要に応じて送風の開閉２をします。女性や子供も喜ぶと思います。【選択図】図２
2017043336.tif 000002
【特許請求の範囲】
【請求項１】
車の飲みもの入れに小さな穴をあけて送風本ダクトより分岐した細いダクトをその穴へ引き込みます。
冷風、暖風は必要に応じて開閉します。
【発明の詳細な説明】
【技術分野】
【０００１】これは車内の送風分岐ダクトで飲みものを冷暖するものである。
【背景技術】
【０００２】従来、冷暖送風ダクトと飲みものは別々であった。
【先行技術文献】
【特許文献】
【０００３】
【発明の概要】
【発明が解決しようとする課題】
【０００４】これは次のような欠点があった
真夏、冷めたい飲みものがすぐぬるくなったり真冬、熱い飲みものがすぐ冷めたくなったりした。
本発明は以上のような欠点をなくすためになされたものである。
【課題を解決するための手段】
【０００５】車の飲みもの入れに小さな穴をあけて、送風本ダクトより分岐した細いダクトで冷暖風を穴へ引き込みます。
【発明の効果】
【０００６】長時間の運転で少しづつ飲む時、冷暖飲みもので目がさめるし、体がシャンとします。
【図面の簡単な説明】
【０００７】
【図１】本発明の斜視図である
【発明を実施するための形態】
【０００８】▲１▼の本体ダクトより▲２▼の分岐ダクトを使って▲３▼の飲みもの入れの穴へ接続します。
▲４▼で送風の開閉をします
【符号の説明】
【０００９】▲１▼  本体ダクト
▲２▼  分岐ダクト
▲３▼  飲みもの入れの穴
▲４▼  送風の開閉
▲５▼  本体の送風口
▲６▼  飲みもの入れ
【図１】
2017043336.tif 000003
【図２】
2017043336.tif 000004
【手続補正書】
【提出日】平成28年2月4日(2016.2.4)
【手続補正１】
【補正対象書類名】明細書
【補正対象項目名】０００７
【補正方法】変更
【補正の内容】
【０００７】
【図１】１の冷暖送風本体ダクトから５の送風口より送風する  ６は飲み物入れである
【図２】６の飲み物入れのうらに３の穴を空け１の冷暖送風本体ダクトより２の分岐ダクトを３の穴に接続します  ４は必要に応じて送風を開閉します